(57)【要約】    【課題】ノイズフィルタを少ない工数で簡単かつ容易に組立て製造可能とする。    【解決手段】ケース本体１２は裏面に金属底板１５を配置したケース底板の両側にＡＣ入力端子台１８とＡＣ出力端子台２０を一体に形成すると共に端子台の間に基板支持壁３６を一体に起立し、端子台から内部上向きに接続ピン３４を突出すると共にケース底板側に設けたアース端子２５に接続した接続金具４０の先端から接続ピン３８を突出し、各接続ピン３４，３８の先端を基板配置位置に延在する。回路部品が実装された回路基板２８は、部品実装面をケース本体１２に向けて基板支持壁３６に当接する位置に組込み配置すると共に、通し穴に端子台およびアース端子側から延在した各接続ピン３４，３８を挿入した状態で外部に露出した基板裏面側でハンダ付けして電気的且つ機械的に接続される。【選択図】          図１
2007288710.tif 000002
【特許請求の範囲】
【請求項１】
裏面に金属底板を配置したケース底板の両側にＡＣ入力端子台とＡＣ出力端子台を一体に形成すると共に前記端子台の間に基板支持壁を一体に起立し、前記端子台から内部上向きに接続ピンを突出すると共に前記ケース底板側に設けたアース端子に接続した接続金具の先端から接続ピンを突出し、前記各接続ピンの先端を基板配置位置に延在したケース本体と、
コモンモードチョークコイル、Ｘコンデンサ及びＹコンデンサを部品実装面に配置して裏面でハンダ接続し、前記部品実装面を前記ケース本体に向けて前記基板支持壁に当接する位置に組込み配置すると共に、基板通し穴に前記端子台および前記アース端子側から延在した前記各接続ピンを挿入した状態で外部に露出した前記基板裏面側でハンダ付けして電気的且つ機械的に接続された部品実装回路基板と、
を備えたことを特徴とするノイズフィルタ。
【請求項２】
請求項１記載のノイズフィルタに於いて、前記コモンモードチョークコイルを複数備えたことを特徴とするノイズフィルタ。
【請求項３】
請求項１記載のノイズフィルタに於いて、前記ＡＣ入力端子台及びＡＣ出力端子台は単相交流端子であり、前記部品実装回路基板に単相交流用ノイズフィルタ回路の部品を実装したことを特徴とするノイズフィルタ。
【請求項４】
請求項１記載のノイズフィルタに於いて、前記ＡＣ入力端子台及びＡＣ出力端子台は三相交流端子であり、前記部品実装回路基板に三相交流用ノイズフィルタ回路の部品を実装したことを特徴とするノイズフィルタ。
【請求項５】
ノイズフィルタの製造方法に於いて、
ケース本体として、裏面に金属底板を配置したケース底板の両側にＡＣ入力端子台とＡＣ出力端子台を一体に形成すると共に前記端子台の間に基板支持壁を一体に起立し、前記端子台から内部上向きに接続ピンを突出すると共に前記ケース底板側に設けたアース端子に接続した接続金具の先端から接続ピンを突出し、前記各接続ピンの先端を基板配置位置に延在し、
回路基板の実装面にコモンモードチョークコイルとＸコンデンサ及びＹコンデンサを配置し、裏側のハンダ面に突き抜けたコモンモードチョークコイルの接続端子と各コンデンサのリード端子をハンダ付けし、
前記回路基板の部品実装面を内側とし、ハンダ面を外側にして前記ケース本体側に組み込み、前記回路基板の通し穴に前記ケース本体の端子台及びアース端子からの接続先端部を挿入した状態でハンダ付けして固定接続することを特徴とするノイズフィルタの製造方法。
【発明の詳細な説明】
【技術分野】
【０００１】
本発明は、電源ラインなどを経由して電子機器等に侵入するノイズを除去するノイズフィルタ及び製造方法に関し、特に、組立を容易にする構造としたことを特徴とするノイズフィルタ及び製造方法に関する。
【背景技術】
【０００２】
従来、コイルとコンデンサで構成されるノイズフィルタは、電源ラインや通信ライン等を経由して外部から電子機器内に侵入するノイズにより電子機器が誤動作することを防止する装置であり、電子機器にとって必要不可欠である。
【０００３】
従来、この種のノイズフィルタとしては図８の外観図に示すような、ケース本体１１２にＡＣ入力端子台１１８、ＡＣ出力端子台１２０を備え、上部にカバー１１４を装着したものが一般的である。
【０００４】
ノイズフィルタ１００は図１０の回路図に示すように、ＡＣ入力端子１８ａ，１８ｂとＡＣ出力端子２０ａ，２０ｂの間に、ノイズフィルタの構成部品として、トロイダルコアに導線を巻いて形成して低域のコモンモードノイズを減衰させるコモンモードチョークコイル２２と、低域のノーマルモードノイズを減衰させるためにコモンモードチョークコイル２２の入力側及び出力側のライン間に接続されたＸコンデンサ（アクロス・ザ・ライン・コンデンサ）２４と、高域のコモンモードノイズとノーマルモードノイズを減衰させるためにライン・グランド間に接続されるＹコンデンサ（ライン・バイパス・コンデンサ）２６を備えている。
【０００５】
図９は図８のカバー１１４を外し、ケース本体１１２の手前側リ壁部分を破断して内部構造を示した説明図であり、ノイズフィルタ１００はＡＣ入力端子台１１８及びＡＣ出力端子台１２０を備えるケース本体１１２に、コモンモードチョークコイル２２、Ｘコンデンサ２４、Ｙコンデンサ２６を夫々挿入組み付けし、ＡＣ入力端子台１１８に埋め込まれた端子金具１３０のカシメ爪１３０ａで、コモンモードチョークコイル２２の接続端子２２ａ、Ｘコンデンサ２４のリード端子を同時にかしめ、端子金具１３０に電気的に接続する。
【０００６】
またＡＣ出力端子台１２０に埋め込まれた端子金具１３０のカシメ爪１３０ａでは、コモンモードチョークコイル２２の接続端子２２ａ、Ｘコンデンサのリード端子、Ｙコンデンサ２６の一方のリード端子２６ａを同時にかしめ、端子金具１３０に電気的に接続している。
【０００７】
なお、図９に於いてＸコンデンサ２４のリード端子、Ｙコンデンサ２６の一方のリード端子２６ａ、及びコモンモードチョークコイル２２の接続端子２２ａは所定の場所に位置しているが、カシメ爪１３０ａはかしめる以前の開いた状態を図示している。
【０００８】
更に、Ｙコンデンサ２６の他方のリード端子２６ｂは、ケース本体１１２の裏面に配置された金属底板１１５から立ち上がった接続金具１４０に巻き付けられ、又はかしめられている。なお、アース端子２５は金属底板１１５と一体に成形されている。
【特許文献１】特開２００５−１９８１４７号公報
【発明の開示】
【発明が解決しようとする課題】
【０００９】
しかしながら、このような従来のノイズフィルタにあっては、かしめ作業や巻きつけ作業の際にはＸコンデンサ２４、コモンモードチョークコイル２２、Ｙコンデンサ２６をケース本体１１２に組み付けた後に各コンデンサのリード端子を変形させて所定の場所に位置させなければならなく、作業は困難である。
【００１０】
また、予め各コンデンサのリード端子を所定の形状に変形させておいても、各コンデンサをケース本体１１２に組み付ける際に位置合わせに不具合が生じたりリード端子に変形が生じたりする場合がある。その際、組み付けた状態でリード端子を再び整形することが困難であれば各コンデンサやコモンモードチョークコイル２２をケース本体１１２の外に引き出し再加工を施さなければならない。
【００１１】
更に、各コンデンサやコモンモードチョークコイルをケース本体に固定する工程、例えば接着剤の塗布等、ノイズフィルタの組み立ての際に複雑な工程と多くの工数を必要とする問題があった。
【００１２】
本発明は、少ない工数で簡単かつ容易に組立て製造可能なノイズフィルタ及び製造方法を提供することを目的とする。
【課題を解決するための手段】
【００１３】
本発明はノイズフィルタを提供する。本発明のノイズフィルタは、裏面に金属底板を配置したケース底板の両側にＡＣ入力端子台とＡＣ出力端子台を一体に形成すると共に端子台の間に基板支持壁を一体に起立し、端子台から内部上向きに接続ピンを突出すると共にケース底板側に設けたアース端子に接続した接続金具の先端から接続ピンを突出し、各接続ピンの先端を基板配置位置に延在したケース本体と、コモンモードチョークコイル、Ｘコンデンサ及びＹコンデンサを部品実装面に配置して裏面でハンダ接続し、部品実装面をケース本体に向けて基板支持壁に当接する位置に組込み配置すると共に、基板通し穴に端子台およびアース端子側から延在した各接続ピンを挿入した状態で外部に露出した基板裏面側でハンダ付けして電気的且つ機械的に接続された部品実装回路基板を備えたことを特徴とする。
【００１４】
ここで、コモンモードチョークコイルを複数備えるようにしても良い。またＡＣ入力端子台及びＡＣ出力端子台は単相交流端子であり、部品実装回路基板に単相交流用ノイズフィルタ回路の部品を実装する。更に、ＡＣ入力端子台及びＡＣ出力端子台は三相交流端子であり、部品実装回路基板に三相交流用ノイズフィルタ回路の部品を実装してもよい。
【００１５】
本発明はノイズフィルタの製造方法を提供する。本発明によるノイズフィルタの製造方法は、
（１）ケース本体として、裏面に金属底板を配置したケース底板の両側にＡＣ入力端子台とＡＣ出力端子台を一体に形成すると共に端子台の間に基板支持壁を一体に起立し、端子台から内部上向きに接続ピンを突出すると共にケース底板側に設けたアース端子に接続した接続金具の先端から接続ピンを突出し、各接続ピンの先端を基板配置位置に延在し、
（２）回路基板の実装面にコモンモードチョークコイルとＸコンデンサ及びＹコンデンサを配置し、裏側のハンダ面に突き抜けたコモンモードチョークコイルの接続端子と各コンデンサのリード端子をハンダ付けし、
（３）回路基板の部品実装面を内側とし、ハンダ面を外側にしてケース本体側に組み込み、回路基板の通し穴にケース本体の端子台及びアース端子からの接続先端部を挿入した状態でハンダ付けして固定接続する。
【発明の効果】
【００１６】
本発明のノイズフィルタによれば、ケース本体側から回路基板の配置位置の挿入可能な高さに端子台及びアース端子からの接続ピンを位置させ、ここに部品実装済みの回路基板を裏返しに装着し、外側（上部）に露出したハンダ面に対しハンダ付け作業をし、ハンダ面が上部外側に露出していることで、ハンダ付け作業が極めて容易となり、且つハンダ付けによって回路基板のケースに対する電気的接続と機械的接続が同時にできるメリットがあり、製造が極めて容易で、生産性を向上し、コスト低減を図ることができる。
【発明を実施するための最良の形態】
【００１７】
図１は、本発明によるノイズフィルタの実施形態を示す外観図であり、本実施形態では単相交流用ノイズフィルタについて説明する。ノイズフィルタ１０はケース本体１２の両側にＡＣ入力端子台１８、ＡＣ出力端子台２０及び２つアース端子２５を一体に備え、ケース本体１２に対しカバー１４を装着している。
【００１８】
ノイズフィルタ１０は、図２の本実施形態の回路図に示すように、ＡＣ入力端子１８ａ，１８ｂとＡＣ出力端子２０ａ，２０ｂの間に、トロイダルコアに導線を巻いて形成した低域のコモンモードノイズを減衰させる２つのコモンモードチョークコイル２２と、コモンモードチョークコイル２２の入力側及び出力側のライン間に接続されたＸコンデンサ（アクロス・ザ・ライン・コンデンサ）２４と、高域のコモンモードノイズとノーマルモードノイズを減衰させるために出力側のライン・グランド間に接続されるＹコンデンサ（ライン・バイパス・コンデンサ）２６を備えている。図示されていないが、電源切断時にコンデンサの蓄積電荷を放電させるブリーダー抵抗をライン間に備えても良い。
【００１９】
図３は本実施形態の組立分解図である。図３において、本実施形態のノイズフィルタ１０は、ケース本体１２、回路部品を実装した回路基板２８及びカバー１４に大別される。
【００２０】
ケース本体１２は底板１２ａの両側にＡＣ入力端子台１８とＡＣ出力端子台２０を一体に形成すると共に、ＡＣ入力端子台１８とＡＣ出力端子台２０の間の２ヵ所に基板支持壁３６を一体に起立し、ＡＣ入力端子台１８とＡＣ出力端子台２０には内部上向きに接続ピン３４を突出した端子金具３０を組み込んでいる。
【００２１】
ケース本体１２の裏面には金属底板１５が装着され、金属底板１５はコーナー部を切り起して屈曲した部位にねじ穴を設け、ここをアース端子２５のビスを装着している。
【００２２】
更に図４に示したカバーを外して回路基板２８を透視状態とした内部構造の説明図、及び図５のカバーを外した内部構造のように、金属底板１５のアース端子２５に隣接した位置からは、先端に接続ピン３８を突出した接続金具４０が切り起しにより突出されており、接続ピン３４と接続ピン３８の先端は基板配置位置に延在している。なお、図４，５は図３のケース本体１２の手前側の壁部分を破断して内部構造を示している。
【００２３】
再び図３を参照するに、回路基板２８は下側に位置する部品実装面にコモンモードチョークコイル２２、Ｘコンデンサ２４及びＹコンデンサ２６が配置され、裏側のハンダ面に突き抜けたリード端子がハンダ付けされている。
【００２４】
回路基板２８は部品実装状態で部品実装面を内側（下側）にしてケース本体１２に組み込まれ、ケース本体１２の基板支持壁３６に載置されることで組込み位置が決まる。このときケース本体１２側に配置しているＡＣ入力用端子台１８及びＡＣ出力端子台２０から上向きに起立した接続ピン３４及び金属底板１５から起立した接続金具４０の先端の接続ピン３８が回路基板２８に形成した通し穴３４ａ，３８ａに貫通する。
【００２５】
このようにケース本体１２に対する回路基板２８の組付けで基板裏面（上面）に突出した接続ピン３４，３８をハンダ付けすることで、電気的且つ機械的に接続される。特に、ケース本体１２に対する回路基板２８の組付けた状態でハンダ付けする部分は、例えば図５のように全て回路基板２８の上部に露出した裏面にあるため、ハンダ付け作業が容易であり、作業性に優れ、高い生産性が得られる。
【００２６】
図６は本実施形態のカバーを外した状態の説明図であり、図６（Ａ）は正面図、図６（Ｂ）は平面図、更に図６（Ｃ）は回路基板の部品実装状態の平面図である。
【００２７】
図６（Ａ）（Ｂ）から明らかなように、ケース本体１２側に設けているＡＣ入力端子台１８とＡＣ出力端子台２０の接続ピン３４及び２つアース端子２５に対応した接続金具４０の先端の接続ピン３８の各々は、基板支持壁３６で決まる回路基板２８の配置位置を越えて上方に延在しており、部品実装面を下向きに回路基板２８を組み込むことで、回路基板２８の位置決めと接続ピン３４，３８の回路基板２８に対する挿入ができ、この状態で回路基板２８を貫通して突出した接続ピン３４，３８を容易にハンダ付けできる。
【００２８】
図６（Ｃ）の回路基板２８にあっては、Ｘコンデンサ２４の外側４箇所に、端子台からの接続ピン３４の通し穴３４ａを形成し、またＹコンデンサ２６の外側に、接続金具４０の接続ピン３８の通し穴３８ａを形成している。
【００２９】
図７は、本発明の他の実施形態として三相交流用のノイズフィルタの回路図であり、ＡＣ入力端子１８ａ，１８ｂ，１８ｃとＡＣ出力端子２０ａ，２０ｂ，２０ｃの間に、トロイダルコアに導線を巻いて形成した低域のコモンモードノイズを減衰させる２つのコモンモードチョークコイル２２と、コモンモードチョークコイル２２の入力側及び出力側の各ライン間に接続されたＸコンデンサ（アクロス・ザ・ライン・コンデンサ）２４と、高域のコモンモードノイズとノーマルモードノイズを減衰させるために出力側の各ライン・グランド間に接続されるＹコンデンサ（ライン・バイパス・コンデンサ）２６を備えている。
【００３０】
この三相交流用のノイズフィルタについても、図１乃至図６の単相交流用のノイズフィルタの実施形態と同様、ケース本体、回路部品を実装した回路基板及びカバーに大別され、ケース本体に対する部品実装済みの回路基板の組付けで基板裏面（上面）に突出した接続ピンをハンダ付けすることで、簡単且つ容易に電気的且つ機械的に接続され、組立作業が容易で生産性を高めることができる。
【００３１】
なお、本実施形態にあっては、コモンモードチョークコイル２２を入出力間に２つ設けてノイズカット性能を高めているが、コモンモードチョークコイル２２は１つであっても良い。
【図面の簡単な説明】
【００３２】
【図１】本発明によるノイズフィルタの実施形態の外観図
【図２】本実施形態の回路図
【図３】本実施形態の組立分解図
【図４】本実施形態の回路基板を透視状態として示す説明図
【図５】本実施形態の回路基板を組み付けた状態の説明図
【図６】本実施形態のカバーを外した状態の説明図
【図７】本発明の他の実施形態を示す回路図
【図８】従来例の説明図
【図９】従来例のカバーを外した状態の説明図
【図１０】従来例の回路図
【符号の説明】
【００３３】
１０：ノイズフィルタ
１２：ケース本体
１２ａ：底板
１４：カバー
１５：金属底板
１８：ＡＣ入力端子台
１８ａ，１８ｂ，１８ｃ：ＡＣ入力端子
２０：ＡＣ出力端子台
２０ａ，２０ｂ，２０ｃ：ＡＣ出力端子
２２：コモンモードチョークコイル
２４：Ｘコンデンサ
２４ａ，２６ａ：リード端子
２５：アース端子
２６：Ｙコンデンサ
２８：回路基板
３０：端子金具
３４，３８：接続ピン
３４ａ，３８ａ：通し穴
３６：基板支持壁
４０：接続金具
【図１】
2007288710.tif 000003
【図２】
2007288710.tif 000004
【図３】
2007288710.tif 000005
【図４】
2007288710.tif 000006
【図５】
2007288710.tif 000007
【図６】
2007288710.tif 000008
【図７】
2007288710.tif 000009
【図８】
2007288710.tif 000010
【図９】
2007288710.tif 000011
【図１０】
2007288710.tif 000012